(57)【要約】【課題】結合取付具の部分の押圧、ひいてはプレートの部分の押圧が、これらの部分に何らかの剪断力をかけることなしに結合取付具の長手方向でも横方向でも得られるようにする。【解決手段】プレートのための結合取付具であって、一方の部分の切欠に挿入可能なホルダ１が設けられており、このホルダ内に、他方の部分に結合される固定部材２が軸方向で摺動可能である形式のものにおいて、ホルダに、互いに向かい合って位置するグリッパアーム１２，１３を備えた、解放位置からロック位置へと回転可能な緊締部分３が支承されていて、グリッパアームが、固定部分２に、軸方向に対してほぼ横方向に配置された対応する締付ピン１８のヘッド１９に、緊締部分３のロック位置で背後から係合し、この場合、ホルダの挿入方向で下方のグリッパアーム１３の、締付ピン１８のための支持面が、緊締部分のロック方向で少なくとも部分的に上昇している。【選択図】図２
2006084020.tif 000002
【特許請求の範囲】
【請求項１】
プレート、特に棚板のための結合取付具であって、一方の部分の切欠に挿入可能なホルダ（１）が設けられており、このホルダ内に、他方の部分に結合される固定部材（２）が軸方向で挿入可能である形式のものにおいて、
ホルダ（１）に、緊締曲線部として形成された互いに向かい合って位置するグリッパアーム（１２，１３）を備えた、解放位置からロック位置へと回転可能な緊締部分（３）が支承されていて、前記グリッパアーム（１２，１３）が、固定部分（２）に、軸方向に対してほぼ横方向に配置された対応する締付ピン（１８）のヘッド（１９）に、少なくとも緊締部分（３）のロック位置で背後から係合し、この場合、ホルダ（１）の挿入方向で下方のグリッパアーム（１３）の、締付ピン（１８）のための支持面が、緊締部分（３）のロック方向で少なくとも部分的に上昇していることを特徴とする、プレート、特に棚板のための結合取付具。
【請求項２】
ホルダ（１）が、固定部材（２）を収容するためにほぼ軸方向で延びる溝（２４）を有している、請求項１記載の取付具。
【請求項３】
ホルダ（１）がほぼ管状（４）に形成されていて、軸方向で少なくとも部分的にスリット（５）が入れられている、請求項１又は２記載の取付具。
【請求項４】
ホルダ（１）が、緊締部分（３）を支持するために横方向底面（９）を有している、請求項３記載の取付具。
【請求項５】
横方向底面（９）が軸方向で延びる横方向壁（１０）によって支持されている、請求項４記載の取付具。
【請求項６】
緊締部分（３）の下端部に、ロックプレート（１５）を備えた軸受ピン（１４）が設けられていて、横方向底面（９）が対応する切欠（１１）を有しており、ロックプレート（１５）が横方向底面（９）に、少なくとも緊締部材（３）のロック位置で下方から係合している、請求項４又は５記載の取付具。
【請求項７】
ホルダ（１）が、固定したいプレート上に支持するために、単数又は複数の側方で突出するプレート状のウィング（６）を有していて、該ウィング（６）が、ねじ（８）またはこれに類似のもののために切欠（７）を有している、請求項１から６までのいずれか１項記載の取付具。
【請求項８】
固定部材（２）が、ホルダを越えて突出するカバープレート（１６）として形成されていて、該カバープレート（１６）が、これに対して垂直に延び、ホルダ（１）のガイド溝（２４）内へと挿入可能な脚（１７）を有しており、該脚（１７）が、長手方向軸線に対してほぼ横方向に向けられた、ヘッド（１９）を備えた締付ピン（１８）を支持している、請求項２から７までのいずれか１項記載の取付具。
【請求項９】
脚（１７）が、固定ねじ（２２）またはこれに類似のもののための少なくとも１つの切欠、特に２つの切欠（２０，２１）を有している、請求項８記載の取付具。
【請求項１０】
カバープレート（１６）が貫通孔（２５）を、緊締部分（３）が軸受ピン（１４）とは反対側の端部に単数又は複数のスリット（２６）を、工具の係合のために有している、請求項８又は９記載の取付具。
【発明の詳細な説明】
【技術分野】
【０００１】
本発明は、プレート、特に棚板のための結合取付具であって、一方の部分の切欠に挿入可能なホルダが設けられており、このホルダ内に、他方の部分に結合される固定部材が軸方向で挿入可能である形式のものに関する。
【背景技術】
【０００２】
このような形式の公知の構成では、ホルダにロックプレートが回転可能に支承されていて、このロックプレートが固定部材の溝に係合する。この場合、溝の支持面およびロックプレートの当接面は逆方向に上昇しているので、固定部材のホルダに対する軸方向の押圧が行われる。別の公知の取付具では、固定部材が凹部を備えたピンから成っている。この場合、ホルダに回転可能に配置されたロック部材がピン凹部に係合する。これにより確かに、鉛直方向の締付も水平方向の締付も得られるが、この場合、ピンは、差し込み方向に対して横方向に応力がかかり、これによりピンに剪断力がかかる。
【発明の開示】
【発明が解決しようとする課題】
【０００３】
本発明の課題は、結合取付具の部分の押圧、ひいてはプレートまたはこれに類似するものの部分の押圧が、これらの部分に何らかの剪断力をかけることなしに結合取付具の長手方向でも横方向でも得られるようにすることである。
【課題を解決するための手段】
【０００４】
この課題を解決するために本発明の構成では、ホルダに、緊締曲線部として形成された互いに向かい合って位置するグリッパアームを備えた、解放位置からロック位置へと回転可能な緊締部分が支承されていて、前記グリッパアームが、固定部分に、軸方向に対してほぼ横方向に配置された対応する締付ピンのヘッドに、少なくとも緊締部分のロック位置で背後から係合し、この場合、ホルダの挿入方向で下方のグリッパアームの、締付ピンのための支持面が、緊締部分のロック方向で少なくとも部分的に上昇しているようにした。
【発明の効果】
【０００５】
有利にはホルダはほぼ管状に形成されていて、軸方向で少なくとも部分的にスリットが入れられている。これにより締付ピンは緊締部分に係合することができる。ホルダはさらに、固定部材を収容するために軸方向に延びる溝を有している。
【０００６】
緊締部材を支持するために、ホルダには横方向底面が設けられていて、該横方向底面は、安定性の理由から、軸方向に延びる横方向壁によって付加的に補強されている。緊締部材自体は、下端部に、ロックプレートを有したガイドピンを有しており、横方向底面は対応する切欠を有している。この場合、ロックプレートは横方向底面に少なくとも緊締部材のロック位置で下方から係合しており、部分の軸方向での相互の締付を保証する。
【０００７】
ホルダは有利には、固定したいプレート上に支持するために単数または複数の側方で突出するプレート状のウィングを有しており、このウィングにはねじまたはこれに類似のもののために切欠が設けられている。固定部材はホルダを越えて突出するカバープレートとして形成されていて、このカバープレートはこれに対して垂直に延び、ホルダの溝内に挿入可能な脚を有しており、この脚は、長手方向軸線に対してほぼ直交方向に向けられたヘッドを備えた締付ピンを支持している。プレート状の構成により、ホルダを固定するために働くねじがカバーされる。脚には、固定ねじまたはそれに類似のもののために少なくとも１つの、特に２つの切欠が設けられている。カバープレートはさらに貫通孔を有しており、緊締部材は、軸受ピンとは反対側の端部に、工具の係合のために単数又は複数のスリットを有している。
【発明を実施するための最良の形態】
【０００８】
次に図面につき本発明の実施の形態を詳しく説明する。
【０００９】
結合取付具は、図１及び図２に示したように３つの部分、即ち、ホルダ１、固定部分２、緊締部分３とから成っている。
【００１０】
ホルダ１は、管状の基体４から成っていて、この基体４は軸方向で延びる長手方向スリット５を有している。管状の基体４の上端部には、特にハニカムプレートの結合のために側方に突出するプレート状の２つのウィング６が設けられていて、これらのウィング６は固定ねじのために切欠７を有している。ホルダはこのウィングで、プレート（図示せず）の表面に支持されていて、ねじ８によってプレートに結合されている。管状の基体４のほぼ真ん中に横方向底面９が設けられていて、この横方向底面９は、軸方向に延びる横方向壁１０によって付加的に支持されている。横方向底面９は緊締部分３のための切欠１１を有している。
【００１１】
緊締部分３は管状の基体４の横方向底面９に回転可能に支承されていて、緊締曲線部として形成された互いに向かい合って位置する２つのグリッパアーム１２，１３を有している。緊締部分３の下端部には軸受ピン１４が設けられていて、この軸受ピンは、横方向底面９の切欠１１に係合し、ロックプレート１５でこの横方向底面９に少なくとも結合取付具のロック位置で下方から係合する。切欠１１は、図２、図５、図６に示したように、緊締部分３が、少なくとも図５の開放位置で、軸受ピン１４とロックプレート１５で底部部分９の切欠１１に挿入されるように成形されている。図６に示したロック位置へ回転すると横方向底面９はロックプレート１５によって下方から係合され、これにより緊締部１３の軸方向の位置が保持される。
【００１２】
固定部材２は、保持部材１のウィング６をカバーするプレート１６と、これに対して垂直に延びる脚１７とから成っている。この脚１７には、ヘッド１９を備えた、軸方向に対して横方向で内部に向けられている締付ピン１８が、緊締部分３に係合するために配置されている。脚１７はさらに固定ねじ２２を挿入するための２つの切欠２０，２１を有している。脚１７はさらにその後縁部にガイドレール２３を有しており、このガイドレール２３は、緊締部分３が図５の解放位置に位置している間はホルダ１のガイド溝２４内に摺動可能である。緊締部分３が時計方向で回転すると、緊締ピン１８のヘッド１９が緊締部分３のグリッパアーム１２，１３によって把持され、固定部分２によってホルダ１に対して締め付けられる。下方のグリッパアーム１３の支持面は、この場合、回転方向で上昇しており、これにより固定部分は軸方向でもホルダに引き寄せられている。従って、鉛直方向でも水平方向でも部分が互いに堅固に結合し、この結合は、この部分に結合されていて図示されていないプレートにも伝えられる。これらの部分は、緊締部材が図６のロック位置から図５の解放位置に戻し旋回されることにより問題なく再び互いに解除可能である。
【００１３】
緊締部分の容易な調節を可能にするために、カバープレート１６には切欠２５が、緊締部分３には単数又は複数のスリット２６が、工具の係合のために設けられている。
【図面の簡単な説明】
【００１４】
【図１】組み立てられた結合取付具を概略的に示した斜視図である。
【図２】正面から見て小さい縮尺で示した図１の分解図である。
【図３】上方に配置された固定部分を有したホルダの背面を示す斜視図である。
【図４】挿入された固定ねじと共に示す図３の正面図である。
【図５】緊締部分の解放位置における図１の横断面図である。
【図６】緊締部分のロック位置における図５を示した図である。
【符号の説明】
【００１５】
１  ホルダ、  ２  固定部分、  ３  緊締部分、  ４  基体、  ５  長手方向スリット、  ６  ウィング、  ７  切欠、  ８  固定ねじ、  ９  横方向底面、  １０  横方向壁、  １１  切欠、  １２  グリッパアーム、  １３  緊締部分、  １４  軸受ピン、  １５  ロックプレート、  １６  プレート、  １７  脚、  １８  締付ピン、  １９  ヘッド、  ２０，２１  切欠、  ２２  固定ねじ、  ２３  ガイドレール、  ２４  ガイド溝、  ２５  切欠、  ２６  スリット
【図１】
2006084020.tif 000003
【図２】
2006084020.tif 000004
【図３】
2006084020.tif 000005
【図４】
2006084020.tif 000006
【図５】
2006084020.tif 000007
【図６】
2006084020.tif 000008